(57)【要約】      （修正有）【課題】手首部位にマイナスイオン及び遠赤外線が放射され、このマイナスイオン及び遠赤外線が身体に吸収され、手首部位の血液循環を促進させ、手首の関節を保護し、新陳代謝を円滑にする。また抗菌作用によって、ゴルフ手袋使用者の手首部位のところで生じがちな細菌感染に伴う皮膚炎、湿疹などを予防することのできる身体に有益な放射物質を含有する無毒性の伸縮手首バンドが付いたゴルフ手袋の提供。【解決手段】無毒性の伸縮手首バンドが付いたゴルフ手袋は、ゴルフ手袋の内側面の手首部位に無毒性の伸縮材質でできた手首バンドが付いており、上記手首バンドにはマイナスイオン及び遠赤外線を放射する物質を主成分とする、セラミックスの粉末が含有されている。【選択図】図１
0003109321.tif 000002
【実用新案登録請求の範囲】
【請求項１】
手首バンドがついているスポーツ手袋において、
上記ゴルフ手袋の内側の面の手首部位に無毒性の伸縮材質でできた手首バンドが付着されており、上記手首バンドには、マイナスイオン及び遠赤外線を放射する物質を主成分とするセラミックスの粉末が含有されたものであるということを特徴とする、身体に有益な放射物質を含有した無毒性の伸縮手首バンド付きのスポーツ手袋。
【請求項２】
第１項において、
マイナスイオン及び遠赤外線を放射する物質は、手首バンドの製造の際、粉末の形で手首バンドの原料と一緒に混合されることを特徴とする身体に有益な放射物質を含有した無毒性伸縮手首バンドがついているスポーツ手袋。
【請求項３】
第１項において、
上記手首バンドは手首部位に接触する内側の面の中央部位に沿って、一定の幅と厚みをもって、突出物でできた指圧部を備えており、上記指圧部の外側表面に数多くの指圧突起物が突出、形成されたものを特徴とする、身体に有益な放射物質を含有する無毒性の伸縮手首バンドが付いているスポーツ手袋。
【請求項４】
第３項において、
上記手首バンドは手首部位に接触する内側の面の両側の一番端の手首部位に沿って、一定の幅と厚みをもって突出物でできた突出結束部を備えているのを特徴とする、身体に有益な放射物質を含有する無毒性の伸縮手首バンドが付いているスポーツ手袋。
【考案の詳細な説明】
【考案の属する技術分野、及び、その分野の従来の技術】
本考案はゴルフ手袋等のような各種スポーツ手袋に関するもので、特に使用者がスポーツ手袋を着用する際、手首部位にマイナスイオン及び遠赤外線が照射させ、このマイナスイオン及び遠赤外線が身体に吸収され、手首部位の血液循環が促進させ、手首の関節が保護する。新陳代謝の円滑と、抗菌作用でゴルフ手袋使用者の手首部位で生じがちな細菌感染に伴う皮膚炎、湿疹などを予防することのできる身体に有益な放射物質を含有する、無毒性の伸縮手首バンドが付いたスポーツ手袋に関するものである。
一般的に手首バンドがあるスポーツ手袋、特にゴルフ手袋は使用者がゴルフのスウイングの際、手首を保護したり、ゴルフクラブのグリップとの密着性をよくするために使われている。従来のゴルフ手袋は内側手首部位に伸縮性素材を内蔵した、薄い繊維織物の手首バンドを付着して、使用者がゴルフ手袋を着用する際、上記手首バンドによって手首部位が伸縮できるように固定され保護されている。
しかし、上記のような従来のゴルフ手袋は手首バンドが伸縮性のある繊維織物でできているために、使用者がゴルフ手袋を着用する際に、使用者の手首部位が伸縮できるように固定され、また保護する役割だけをただ行うようになっているだけである。使用者の手首部位の血液循環を促進させたり、手首の関節を効果的に保護したり、汗によって手首部位で生じがちな皮膚炎、細菌感染に伴う抗菌作用機能を行ったりすることができないというのが問題点である。
【考案が行おうとする技術的課題】
本考案は上記の従来の技術の問題点を解決するために案出されたものであり、使用者がゴルフ手袋を着用する際、マイナスイオン及び遠赤外線が放射され、手首部位に照射されて、手首部位が重点的に指圧されるようにすることによって、手首部位の血液循環を促進させ、手首の関節を保護し、新陳代謝を円滑に行い、抗菌作用によってゴルフ手袋の使用者の手首部位で生じがちな細菌感染に伴う皮膚炎、湿疹などを予防することのできる身体に有益な放射物質を含有した、無毒性の伸縮手首バンドが付いたスポーツ手袋を提供する目的がある。
【考案の構成及び作用】
上記目的を達成するために、本考案の望ましい使い方の例に従った身体に有益な放射物質を含有した無毒性の伸縮手首バンドが付いたスポーツ手袋は、スポーツ手袋に、上記手袋の内側の手首部位に無毒性の伸縮材質でできた手首バンドが付いている。上記手首バンドにマイナスイオン及び遠赤外線を放射する物質を主成分とするセラミックスの粉末が含有されたものであるというのがその特徴である。
以下、添付された図面を参照し、本考案の望ましい使い方の例を詳しく説明することとする。
図１は本考案の望ましい使い方の例に従った遠赤外線放射物質を含有した無毒性の伸縮手首バンドが付いたゴルフ手袋を表した斜視図であり、図２は図１のＩＩ−ＩＩ線に沿った断面図である。
図１及び図２に図示されているように、ここではスポーツ手袋の中でゴルフ手袋を使い方の例として説明する。本考案の身体に有益な放射物質を含有した無毒性の伸縮手首バンドが付いたゴルフ手袋は、ゴルフ手袋（１）の内側の面の手首部位にラテックス、シリコン、または天然ゴムのような無毒性の伸縮材質でできた手首バンド（１０）が付いている。
上記の手首バンド（１０）には製造課題でマイナスイオン、放射物質、そして放射物質のような身体に有益な放射物質が粉末の形で、又は塗布の形で含有される。
上記粉末の形は、手首バンド（１０）の製造の際、バンドの原料と一緒に混合することである。塗布の形は手首バンド（１０）を製造した後、接着剤と一緒にバンドの表面に塗布することである。手首バンド（１０）の製造の際、バンドの原料を混合するのが永久的に放射物質を含有できるので望ましい。
マイナスイオンは空気の中で非常に弱い電流を持っている様々な形のイオンがあるが、その中でもマイナスの電流を持っている物質である。その物質のある原子と原子団、分子の中で、マイナス電流を持っている非常に小さい粒子、すなわち「電流の微粒子」を意味している。
マイナスイオンは森林と滝の周辺、草原、公園の噴水の周り、海岸に非常に多く存在しており、人間はこの自然に接しながら爽快感と休息感を感じることができる。
マイナスイオンは自らの電子を活性酸素に与えることによって、細胞にとって致命的な活性酸素の過剰発生と細胞の酸化を防ぐ作用（還元作用）をし、健康維持活動を活発に促進させる。
またマイナスイオンには血液を転化させる作用があり、酸性化になりつつある血液を弱アルカリ性に作り変えることによって新陳代謝を活発にさせ、各細胞の機能を活性化させ、疲労回復を促進させる。そして自律神経の機能がよくなるので、内分泌線の機能もよくなり、中枢神経や末梢神経にもよい影響を与える。これによって造血機能を増進させる。抵抗力の増大により身体の免疫機能が増強され、様々な感染に対する抵抗力が増加し、全身のバランスがよくなり、病にかかりにくくなる。
またマイナスイオンは体液、細胞、神経系によい影響を与え、すべての臓器と組織の機能をよくさせ、自律神経と内分泌機能のバランスを調節する。
マイナスイオンが持っている抗酸化機能と、消臭、殺菌機能により、魚類と花等の鮮度を維持する効果も報告されている。マイナスイオンは空気のビタミンとも言える。
このようなマイナスイオン放射物質はタマリン、水晶、琥珀などのような電気石；磁鉄鉱，麥飯石、長石などのような天然鉱石；竹炭、松果炭、果実炭、穀炭などのような炭；珊瑚、貝、化石のようなミネラル素材に多く含有されている。
遠赤外線は光の波長領域中３〜１０００μｍ範囲で可視光線より強い熱作用をし、放射エネルギーが直接的で瞬間的な熱伝達のため、迅速に加熱し、エネルギー節約効果が大きく、乾燥過熱、暖房、温熱治療、健康用品、食品加工、建築内飾材、生活用品及び動植物の生態的作用などに幅広く利用されている。
このような赤外線は、原子団や分子の回転および振動運動エネルギー領域にあたり元素の種類、分子の大きさ、その配列状態および結合力の違い等によって、それぞれ固有な振動と回転の周波数をもっている。
振動と回転による双極子の変化は、大部分の電子転移が可視光線と紫外線領域のエネルギーを必要とし、赤外線は様々な振動と回転状態のエネルギーの差が小さい分子だけに主にできる。赤外線輻射線を吸収または放出する場合、その分子は振動と回転運動による双極子モーメントに変化を起こさなければならない。
ここに同じ波長の赤外線を照射すると、共鳴現象による赤外線のエネルギーは分子に吸収され、その分子や分子団はこの状態になる。これに対してこの分子の固有振動数が一致しない波長の赤外線は、分子内を透過、または反射するようになる。
このような条件の下で輻射線の電気場は、分子と作用でき、分子の振動および回転運動に変化をもたらす事ができ、放射線の振動数が分子の自然振動数と一致するときはエネルギーの転移が起こり、分子振動の振幅が変わる。その結果、放射線の吸収または放出が起こるようになる。これと似た非対称分子がその質量中心の周囲を回転する時、周期的な双極子の変動が起こり、輻射線との相互作用が可能になる。
このような遠赤外線は血液循環など前述したマイナスイオンのような人体に有益な効能をもっているのは、すでに記述した通りである。
遠赤外線を放射する物質で、アルミナ（Ａｌ２Ｏ３）、シリカ（ＳｉＯ２）、ジルコニヤ（ＺｒＯ２）、酸化鉄（Ｆｅ２Ｏ３）、炭化珪素（ＳｉＣ）を主成分とするセラミックス粉末があり、麥飯石などと天然鉱石、トルマリンのような電気石などにも多く含有されている。
マイナスイオンが発生する物質には、遠赤外線も放射する。本考案はマイナスイオン及び遠赤外線を同時に放射する物質だけでなく、マイナスイオンだけを放射したり、遠赤外線だけを放射するものもその範囲に含まれる。
本考案の手首バンド（１０）は製造の際、粉末の形で含有されることもできるが、上記マイナスイオン及び遠赤外線放射物質が手首に接触される内側面の表側に、全体的もしくは部分的に塗布することもできる。
又、上記手首バンド（１０）は手首に接触する内側の面の中央部位に沿って、一定の幅と厚みをもって、丸みを帯びた突出物でできた指圧部（１１）を備え、上記指圧部（１１）の外側の表面に多数の指圧突起物（１１）が突出形成され、使用者が上記ゴルフ手袋（１）を着用する際、上記指圧突起物（１１）によって接触する手首部位に指圧効果を極大化させる。
一方、上記手首バンド（１０）は手首に接触する内側の両面の一番端の部位に沿って、一定の幅と厚みをもって、突出物でできた突出結束部（１３）を備え、上記ゴルフ手袋（１）の内側の面の手首部位にオーバーロック縫いで、付着される際、突出結束部（１３）によって、上記手首バンド（１０）の一番端の部位が破損されるのを防止し、より堅固に付着されるようにした。
上記のように構成された本考案による遠赤外線放射物質を含有した無毒性の伸縮手首バンドが付いたゴルフ手袋の操作方法は下記の通りである。
本考案の遠赤外線を放射する物質を含有した、無毒性の伸縮手首バンドが付いたゴルフ手袋（１）は、内側面の手首部位にラテックス、シリコン、または天然ゴムのような無毒性の伸縮材質でできたマイナスイオン及び遠赤外線を放射する物質の粉末が含有された手首バンドが付いているのだが、この遠赤外線は太陽光線の中で最も純粋で強い熱作用を持った熱線で、生物体に対する浸透力にすぐれ、人体に照射する場合、遠赤外線が吸収されることによって、血管拡張、血液循環促進及び皮下脂肪層の新陳代謝が円滑に行われるという効果がある。
そしてマイナスイオンは前述した通りのように、手首バンド（１０）と接触する手首部分の皮膚を通して、人体の細胞及び血液に浸透し、身体に有益な効果をもたらしてくれる。
従って、使用者が上記のマイナスイオン及び遠赤外線放射物質を含有した無毒性の伸縮手首バンドが付いたゴルフ手袋（１）を着用する際、手袋本来の用途を維持しながら、マイナスイオン及び遠赤外線が放射され、その遠赤外線が手首部位に照射されることによって手首部位の血液循環を促進させることになり、手首の関節を保護し、遠赤外線が手首部位の皮下組織にまで及んで、新陳代謝が円滑に行われ、また抗菌作用によってゴルフ手袋の使用者の手首部位において生じがちな細菌感染による皮膚炎、湿疹などを予防することができる。
そして、使用者が本考案のゴルフ手袋（１）を着用する際、手首部位に接触する手首バンド（１０）の内側の面の中央部位に沿って、備わっている指圧部（１１）の外側の表面に数多く形成された指圧突起物（１１）によって接触する手首部位に指圧効果を極大化させることによって、手首部位の血液循環を促進させ、手首の関節を保護することができる。
一方、上記手首バンド（１０）を上記のゴルフ手袋（１）の内側の手首部位にオーバーロック縫いで付着する際、手首部位に接触する内側の両面の一番端の部位に沿って、一定の幅と厚みをもって突出物でできた突出結束部（１３）を備えることによって、上記突出結束部（１３）による上記手首バンド（１０）の一番端の部位が破損されるのを防止し、より堅固に付着される。
このように、本考案による遠赤外線放射物質を含有した無毒性の伸縮手首バンドが付いたゴルフ手袋を例示した図面を参照して説明したが、本明細書に開示された実施例と図面によって本考案は限られず、その考案の技術上の範囲内で当業者によって、多様な変形が可能であることは勿論のことである。
たとえば、手首バンド（１０）は手袋の内側面に構成されたことを図示したが、手袋の手首部分の外側面に構成できる。この場合もマイナスイオン及び遠赤外線は手袋を貫通して手首に浸透するので、同一の効果を発揮できる。
また上記手首バンド（１０）は、中央の指圧部と指圧突起物、そして両側の突出結束部が構成されなくても、その機能を行うのに何の支障もないので、この実施例も本考案の範囲に属する。
【考案の効果】
上記の通り、本考案のマイナスイオン及び遠赤外線放射物質を含有した無毒性の伸縮手首バンドが付いたスポーツ手袋は、手袋の内側の手首部位に付着される手首バンドに、マイナスイオン及び遠赤外線を放射する物質を主成分とするセラミックス粉末を含有し、上記手首バンドの内側の面の中央部位に沿って指圧部位が形成されていることから、使用者がゴルフ手袋を着用する際、マイナスイオン及び遠赤外線が放射され、手首部位に照射することによって、手首部位の血液循環を促進させ、手首の関節を保護し、ゴルフのスウィングの際、飛距離を向上させることができるという効果がある。
又、マイナスイオン及び遠赤外線が手首部位の皮下組織にまで及ぶことから、新陳代謝が円滑に行われ、抗菌作用によって、ゴルフ手袋の使用者の手首部位において生じがちな細菌感染による皮膚炎、湿疹などを予防することができるという効果がある。
また、上記手首バンドを上記ゴルフ手袋にオーバーロック縫いで付着する際、上記手首バンドの両側の一番端の部位に沿って、一定の幅と厚みをもって、突出結束部が形成されていることから、上記突出結束部によって、上記手首バンド（１０）の一番端の部位が破損されるのを防止し、より堅固に付着することができるという効果がある
【図面の簡単な説明】
【図１】本考案の望ましい実施例に従って行われる、マイナスイオン及び遠赤外線の放射物質を含有する、無毒性の伸縮手首バンドが付いたゴルフ手袋を表した斜視図であり、
【図２】図１のＩＩ−ＩＩ線に沿った断面図である。
【符号の説明】
１：ゴルフ手袋
１０：手首バンド
１１：指圧部
１３：突出結束部
【図１】
0003109321.tif 000003
【図２】
0003109321.tif 000004
【手続補正書】
【提出日】平成17年1月31日(2005.1.31)
【手続補正１】
【補正対象書類名】実用新案登録請求の範囲
【補正対象項目名】全文
【補正方法】変更
【補正の内容】
【実用新案登録請求の範囲】
【請求項１】
手首バンドがついているスポーツ手袋において、手袋の内側の面の手首部位に無毒性の伸縮素材でできた手首バンドが付着されており、上記手首バンドには、マイナスイオン及び遠赤外線を放射する物質を主成分とするセラミックスの粉末が含有されたものであるということを特徴とする、身体に有益な放射物質を含有した無毒性の伸縮手首バンド付きスポーツ手袋。
【請求項２】
請求項１において、マイナスイオン及び遠赤外線を放射する物質は、手首バンドの製造の際、粉末の形で手首バンドの原料と一緒に混合されることを特徴とする身体に有益な放射物質を含有した無毒性伸縮手首バンドがついているスポーツ手袋。
【請求項３】
請求項１において、上記手首バンドは手首部位に接触する内側の面の中央部位に沿って、一定の幅と厚みをもって、突出物でできた指圧部を備えており、上記指圧部の外側表面に数多くの指圧突起物が突出、形成されたものを特徴とする、身体に有益な放射物質を含有する無毒性の伸縮手首バンドが付いているスポーツ手袋。
【請求項４】
請求項３において、上記手首バンドは手首部位に接触する内側の面の両側の一番端の手首部位に沿って、一定の幅と厚みをもって突出物でできた突出結束部を備えているのを特徴とする、身体に有益な放射物質を含有する無毒性の伸縮手首バンドが付いているスポーツ手袋。